(57)【要約】【課題】部品点数が少なく組付け作業が容易で小型化を図ることができる変速機の変速駆動機構を供する。【解決手段】ポールラチェット機構250が構成され、ラチェットポール265の外側への突出をシフタ252の所定回動角度範囲で規制するガイド部材270と、ドラムストッパアーム290の係止部材292が付勢手段284により付勢されてドラムセンタ251の外周に形成された係止溝251ｂに係止してドラムセンタ251をシフトドラム210とともに位置決めするドラム位置決め手段とを備えた変速機の変速駆動機構において、ガイド部材270は、複数延出したフランジの端部が変速機ケース31Ｌｒに固着され、変速機ケース31Ｌｒの所定位置に設けられる１支持部材281に、ドラムストッパアーム290が揺動自在に軸支されるとともに、ガイド部材270の１フランジ270ｂの端部が固着される変速機の変速駆動機構。【選択図】図１０
2008115884.tif 000002
【特許請求の範囲】
【請求項１】
シフト駆動により回動するシフタがラチェットポールを外周から出没自在に保持してシフトドラムの一端に設けられるドラムセンタのラチェットハウジング内に嵌装されてドラムセンタをシフトドラムとともに間欠的に回動するポールラチェット機構が構成され、
変速機ケースに固定され前記ラチェットポールの外側への突出を前記シフタの所定回動角度範囲で規制するガイド部材と、
変速機ケースに軸支されたドラムストッパアームの係止部材が付勢手段により付勢されてドラムセンタの外周に形成された係止溝に係止してドラムセンタをシフトドラムとともに位置決めするドラム位置決め手段とを備えた変速機の変速駆動機構において、
前記ガイド部材は、複数延出したフランジの端部が変速機ケースに固着され、
変速機ケースの所定位置に設けられる１支持部材に、前記ドラムストッパアームが揺動自在に軸支されるとともに、前記ガイド部材の１フランジの端部が固着されることを特徴とする変速機の変速駆動機構。
【請求項２】
前記支持部材は、
基端側突部が変速機ケースに嵌着され、
先端側第１突部が大径部を有して前記ドラムストッパアームを軸方向の移動を規制して揺動自在に軸支し、
先端側第２突部が固定部材の取付けにより前記ガイド部材の１フランジの端部を固着支持することを特徴とする請求項１記載の変速機の変速駆動機構。
【請求項３】
前記支持部材の先端側第１突部と先端側第２突部は、同軸に形成され、
前記先端側第２突部には雄ネジが刻設され、
前記固定部材は、先端側第２突部のネジに螺合して取付けられることを特徴とする請求項２記載の変速機の変速駆動機構。
【発明の詳細な説明】
【技術分野】
【０００１】
本発明は、シフトドラムの回動により変速を行う変速機の変速駆動機構に関する。
【背景技術】
【０００２】
シフト操作により回動するシフタがラチェットポールを外周に出没自在に保持してシフトドラムの一端に設けられるドラムセンタのラチェットハウジング内に嵌装されてドラムセンタをシフトドラムとともに間欠的に回動するポールラチェット機構を備える変速機の変速駆動機構は、種々提案されている。
その中でも、ラチェットポールの外側への突出をシフタの所定回動角度範囲で規制してシフタの往復回動を円滑にするガイド部材が設けられた例（例えば、特許文献１参照）がある。
【０００３】
【特許文献１】特開昭５９−２９８６０号公報
【０００４】
同特許文献１における明細書の実施例に開示された変速機では、ガイド部材であるガイドプレートがミッションケースにボルト等により２箇所固着されており、別途ミッションケースに軸支されたドラムストッパアームの先端の位置決めローラがスプリングにより付勢されてドラムセンタの外周に形成された係止爪に係止してドラムセンタをシフトドラムとともに位置決めする構成が開示されている。
【発明の開示】
【発明が解決しようとする課題】
【０００５】
ドラムストッパアームを軸支する支持部材と、ガイドプレートを固着支持する２つの支持部材とは、別個に異なる位置に設けられている。
ドラムセンタの周りには、ドラムストッパアームやガイドプレートのほかに、シフトアーム等の部材が配設されて、スペース的に余裕がなく、ドラムストッパアームとガイドプレートを異なる支持部材で異なる位置に支持するために、スペースを拡張するなどしてミッションケースが大型化する傾向がある。
また、支持部材の数が多いことで、部品点数が多く、組付け作業も簡単ではない。
【０００６】
本発明は、かかる点に鑑みなされたもので、その目的とする処は、部品点数が少なく組付け作業が容易で小型化を図ることができる変速機の変速駆動機構を供する点にある。
【課題を解決するための手段】
【０００７】
上記目的を達成するために、請求項１記載の発明は、シフト駆動により回動するシフタがラチェットポールを外周から出没自在に保持してシフトドラムの一端に設けられるドラムセンタのラチェットハウジング内に嵌装されてドラムセンタをシフトドラムとともに間欠的に回動するポールラチェット機構が構成され、変速機ケースに固定され前記ラチェットポールの外側への突出を前記シフタの所定回動角度範囲で規制するガイド部材と、変速機ケースに軸支されたドラムストッパアームの係止部材が付勢手段により付勢されてドラムセンタの外周に形成された係止溝に係止してドラムセンタをシフトドラムとともに位置決めするドラム位置決め手段とを備えた変速機の変速駆動機構において、前記ガイド部材は、複数延出したフランジの端部が変速機ケースに固着され、変速機ケースの所定位置に設けられる１支持部材に、前記ドラムストッパアームが揺動自在に軸支されるとともに、前記ガイド部材の１フランジの端部が固着される変速機の変速駆動機構とした。
【０００８】
請求項２記載の発明は、請求項１記載の変速機の変速駆動機構において、前記支持部材は、基端側突部が変速機ケースに嵌着され、先端側第１突部が大径部を有して前記ドラムストッパアームを軸方向の移動を規制して揺動自在に軸支し、先端側第２突部が固定部材の取付けにより前記ガイド部材の１フランジの端部を固着支持することを特徴とする。
【０００９】
請求項３記載の発明は、請求項２記載の変速機の変速駆動機構において、前記支持部材の先端側第１突部と先端側第２突部は、同軸に形成され、前記先端側第２突部には雄ネジが刻設され、前記固定部材は、先端側第２突部のネジに螺合して取付けられることを特徴とする。
【発明の効果】
【００１０】
請求項１記載の変速機の変速駆動機構によれば、変速機ケースの所定位置に設けられる１支持部材に、ドラムストッパアームが揺動自在に軸支されるとともに、ガイド部材の１フランジの端部が固着されるので、ドラムストッパアームとガイド部材が共通の１支持部材に支持されることで、部品点数を少なくし組付け作業を簡単にするとともに変速機の小型化を図ることができる。
【００１１】
請求項２記載の変速機の変速駆動機構によれば、変速機ケースに基端側突部が嵌着された支持部材の先端側第１突部が大径部を有してドラムストッパアームを軸方向の移動を規制して揺動自在に軸支し、先端側第２突部が固定部材の取付けによりガイド部材の１フランジの端部を固着支持するので、共通の支持部材にドラムストッパアームとガイド部材を少ない部品点数で集約的に支持させることができる。
【００１２】
請求項３記載の変速機の変速駆動機構によれば、支持部材の先端側第１突部と先端側第２突部は、同軸に形成され、前記先端側第２突部には雄ネジが刻設され、固定部材は先端側第２突部の雄ネジに螺合して取付けられるので、支持部材の構成が少ない部品点数で簡単である。
【発明を実施するための最良の形態】
【００１３】
以下、本発明に係る一実施の形態について図１ないし図８に基づいて説明する。
本実施の形態に係る水冷式の内燃機関Ｅが搭載された不整地走行用車両１の車体カバー等を外した状態の側面図を図１に、同平面図を図２に示す。
なお、本実施の形態においては、車両の前進方向を向いた状態を基準にして前後左右を決めることとする。
【００１４】
不整地走行用車両１は、鞍乗り型の４輪車で、不整地用の低圧のバルーンタイヤが装着される左右一対の前輪ＦＷと、同じバルーンタイヤが装着される左右一対の後輪ＲＷが、車体フレーム２の前後に懸架される。
【００１５】
車体フレーム２は、複数種の鋼材を結合して構成され、内燃機関Ｅおよび変速機Ｔをクランクケース31内に一体に構成したパワーユニットＰが搭載されるセンタフレーム部３、センタフレーム部３の前部に連接され前輪ＷＦを懸架するフロントフレーム部４、センタフレーム部３の後部に連接されシート７を支持するシートレール６を有するリヤフレーム部５からなる。
【００１６】
センタフレーム部３は、左右一対のアッパパイプ３ａが前後を下方へ屈曲させて略３辺をなし、他の略１辺を左右一対のロアパイプ３ｂが連結して側面視で概ね矩形をなし、左右両パイプをクロスメンバが連結して構成されている。
【００１７】
ロアパイプ３ｂの後部の斜め上方へ屈曲して延びた部分に固着されたピボットプレート８に、前端を軸支されたスイングアーム９が揺動自在に設けられ、スイングアーム９の後部とリヤフレーム部５との間にリヤクッション10が介装され、スイングアーム９の後端に設けられた後ファイナルリダクションギヤユニット19に後輪ＲＷが懸架されている。
【００１８】
左右のアッパパイプ３ａの前端部間に架設されたクロスメンバの幅方向中央にステアリングコラム11が支持されており、同ステアリングコラム11で操舵可能に支承されるステアリングシャフト12の上端部に操向ハンドル13が連結され、ステアリングシャフト12の下端部は前輪操舵機構14に連結される。
【００１９】
パワーユニットＰの内燃機関Ｅは、水冷式２気筒内燃機関であり、クランク軸30を車体前後方向に指向させた所謂縦置きの姿勢で、センタフレーム部３に搭載される。
【００２０】
パワーユニットＰの変速機Ｔは、内燃機関Ｅの左側に配置され、同左側に寄った変速機Ｔから前後方向に指向した出力軸80が前後に突出しており、同出力軸80の回転動力は、出力軸80の前端から前ドライブシャフト16および前ファイナルリダクションギヤユニット17を介して左右の前輪ＦＷに伝達され、後端から後ドライブシャフト18および前記後ファイナルリダクションギヤユニット19を介して左右の後輪ＲＷに伝達される。
車体フレーム２のフロントフレーム部４にはラジエータ27が支持されており、その前方にオイルクーラ28が配設されている。
【００２１】
パワーユニットＰの前面図である図３および後面図である図４を参照して、パワーユニットＰの内燃機関Ｅおよび変速機Ｔを内部に構成するクランクケース31は、クランク軸30を含む平面で上下に分割された上クランクケース31Ｕと下クランクケース31Ｌからなる上下割りの構造をしている。
【００２２】
上クランクケース31Ｕの上部には２つのシリンダボア32ｃを直列に配列して一体に成形されたシリンダブロック部32が幾らか左方に傾いて上方に延出形成され、同シリンダブロック部32の上にシリンダヘッド33が重ねられ、シリンダヘッド33の上にはシリンダヘッドカバー34が被せられる。
一方、下クランクケース31Ｌの下にはオイルパン35が取り付けられる。
【００２３】
シリンダヘッド33の右側壁から湾曲して略上方に延出する吸気管20が途中スロットルボディ21を介装して内燃機関Ｅの上方に配置されたエアクリーナ22に接続され、シリンダヘッド33の左側壁から湾曲して後方に延出した排気管23が、リヤフレーム部５の左側に取付けられた排気マフラー24に接続する。
【００２４】
図３ないし図５を参照して、シリンダブロック部32の２つのシリンダボア32ｃにピストン40が往復摺動可能に嵌合され、クランク軸30のクランクウエブ30ｗ，30ｗ間のクランクピン30ｐとピストン40のピストンピン40ｐとを、コンロッド41が連接してクランク機構を構成している。
【００２５】
シリンダヘッド33には、シリンダボア32ｃ毎に、ピストン40に対向して形成される燃焼室42と、燃焼室42に開口して１対の吸気弁45により開閉される吸気ポート43が右方かつ上方に延出し、１対の排気弁46により開閉される排気ポート44が前方に延出し、さらに燃焼室42に臨む点火プラグ47が装着される。
なお、吸気ポート43に吸気管20が連結される。
【００２６】
シリンダヘッド33に回転可能に軸支されるカム軸48の吸気カムロブ48ｉに吸気弁45の上端が当接し、同カム軸48の排気カムロブ48ｅにロッカアーム軸49に軸支されたロッカアーム50の一端が接し、ロッカアーム50の他端に排気弁46の上端が当接している。
したがって、カム軸48によりクランク軸30の回転に同期して吸気弁45と排気弁46が、それぞれ吸気ポート43と排気ポート44を所定のタイミングで開閉する。
【００２７】
そのために、カム軸48は、後部にカムスプロケット48ｓが嵌着され、クランク軸30の後端部近傍に嵌着される駆動スプロケット30ｓとカムスプロケット48ｓの間にタイミングチェーン51が掛け渡され（図５参照）、クランク軸30の半分の回転速度で回転駆動される。
【００２８】
クランク軸30は、上クランクケース31Ｕと下クランクケース31Ｌにプレーンベアリング52を介して挟まれて回転自在に軸支され、図５に示すように、クランク軸30のクランク室より後方に突出した後側部分には、上記駆動スプロケット30ｓが形成され、そのさらに後側端部に流体継手であるフルードカップリング55を介してプライマリドライブギヤ56ａが設けられる。
【００２９】
フルードカップリング55は、クランク軸30に固定されているポンプインペラ55ｐとそれに対向するタービンランナ55ｔ、およびステータ55ｓを備えている。
クランク軸30に対して回転可能なタービンランナ55ｔに前記プライマリドライブギヤ56ａは結合されており、クランク軸30からの動力は、作動油を介してプライマリドライブギヤ56ａに伝達される。
プライマリドライブギヤ56ａは、後記するメイン軸61に軸支されるプライマリドリブンギヤ56ｂに噛合して、クランク軸30の回転をメイン軸61側に伝達する。
【００３０】
他方、クランク軸30のクランク室Ｃより前方に突出した前側部分には、交流発電機57と一方向クラッチ58を介して始動用被動ギヤ59が軸支されている。
また、クランク軸30のクランク室Ｃの前側壁の内面に沿った部分には、バランサ軸駆動用ギヤ54が嵌着されている。
【００３１】
クランク軸30のクランクウエブ30ｗを収容するクランク室Ｃの左方に仕切り壁により仕切られてミッション室Ｍが形成されており、クランクケース31の一部がミッションケースを兼ねている。
【００３２】
ミッション室Ｍに収容される変速ギヤ機構60は、常時噛合い式のギヤ機構であり、クランク軸10の左方で斜め上方位置にメイン軸61が上クランクケース31Ｕに軸支され、同メイン軸61の左方で斜め下方位置でクランク軸30の左方位置にカウンタ軸71が上下のクランクケース31Ｕ，31Ｌの割り面に挟まれて軸支されている（図３，図４参照）。
【００３３】
メイン軸61は、内筒61ｉと同内筒61ｉの一部に回転自在に嵌合する外筒61ｏとからなり、内筒61ｉの前端が上クランクケース31Ｕのミッション室Ｍの前側壁31Ｕｆに形成された軸受凹部62に第１ベアリング62ｂを介装して回転自在に軸支され、内筒61ｉの後方側の略中央位置に外筒61ｏが相対回転自在に嵌合されており、外筒61ｏの一部がミッション室Ｍの後側壁31Ｕｒに形成された軸受開口63に第２ベアリング63ｂを介装して回転自在に軸支され、内筒61ｉとともに支持される。
【００３４】
外筒61ｏは、第２ベアリング63ｂより内側部分に第２変速駆動ギヤｍ２と第４変速駆動ギヤｍ４が前後に一体に形成され、第２ベアリング63ｂより外側に一部外側部分が突出している。
内筒61ｉには、外筒61ｏの第２，第４変速駆動ギヤｍ２，ｍ４より前方に前から順に第１変速駆動アイドルギヤｍ１、シフタと一体に形成され内筒61ｉにスプライン嵌合された第５変速駆動ギヤｍ５、第３変速駆動アイドルギヤｍ３が軸支されており、外筒61ｏの外側部分よりさらに後方に内筒61ｉの外側部分が突出している。
【００３５】
前側壁31Ｕｆに形成された軸受凹部62は、小径の内筒61ｉの前端を軸支すべく内径が小さく形成されているのに対して、後側壁31Ｕｒに形成された軸受開口63は、後端の第４変速駆動ギヤｍ４の径より大きい内径を有しており、メイン軸61の組付け作業用に利用される。
なお、ミッション室Ｍの後側壁31Ｕｒの軸受開口63は、内側開口端が中心軸に向けて僅かに突出した内向きのフランジ63ｆが形成されているが、同フランジ63ｆの内径も第４変速駆動ギヤｍ４の径より大きい。
【００３６】
内筒61ｉの外側部分には、外筒61ｏと並んで入力スリーブ65が回転自在に嵌合し、同入力スリーブ65の中央に前記プライマリドリブンギヤ56ｂが嵌着されており、同プライマリドリブンギヤ56ｂがクランク軸30側のプライマリドライブギヤ56ａと噛合する。
この入力スリーブ65のプライマリドリブンギヤ56ｂより後方に第１変速クラッチ66が組付けられ、プライマリドリブンギヤ56ｂより前方に第２変速クラッチ67が組付けられる。
【００３７】
一対の第１変速クラッチ66と第２変速クラッチ67は、同一構造の油圧式の多板摩擦クラッチである。
第１変速クラッチ66は、後方に開口した椀状をしたクラッチアウタ66ｏが入力スリーブ65に一体に嵌着され、クラッチインナ66ｉが内筒61ｉに一体に嵌着されている。
他方、第２変速クラッチ67は、前方に開口した椀状をしたクラッチアウタ67ｏが入力スリーブ65に一体に嵌着され、クラッチインナ67ｉが外筒61ｏの外側部分に一体に嵌着されている。
【００３８】
第１変速クラッチ66に油圧が供給されてクラッチアウタ66ｏとクラッチインナ66ｉが接続されると、プライマリドリブンギヤ56ｂと一体の入力スリーブ65の回転が外筒61ｏの第２，第４変速駆動ギヤｍ２，ｍ４の回転に伝達され、油圧が供給されないとクラッチアウタ66ｏとクラッチインナ66ｉが切断されて外筒61ｏの第２，第４変速駆動ギヤｍ２，ｍ４に回転が伝達されない。
【００３９】
同様に、第２変速クラッチ67に油圧が供給されてクラッチアウタ67ｏとクラッチインナ67ｉが接続されると、プライマリドリブンギヤ56ｂと一体の入力スリーブ65の回転が内筒61ｉに伝達され、内筒61ｉにスプライン嵌合された第５変速駆動ギヤｍ５が回転され、油圧が供給されないとクラッチアウタ67ｏとクラッチインナ67ｉが切断されて内筒61ｉ上の第５変速駆動ギヤｍ５に回転が伝達されない。
【００４０】
上記のようなメイン軸61の左方で斜め下方位置に上下のクランクケース31Ｕ，31Ｌの割り面に挟まれて軸支されるカウンタ軸71は、その前側部分がミッション室Ｍの前側壁31Ｕｆに形成された軸受開口72にベアリング72ｂを介装して回転自在に軸支され、後端がミッション室Ｍの後側壁31Ｕｆに形成された軸受凹部73にベアリング73ｂを介装して回転自在に軸支される。
【００４１】
カウンタ軸71には、ミッション室Ｍ内において前側から順に第１変速被動ギヤｎ１、第５変速被動アイドルギヤｎ５、シフタと一体に形成されカウンタ軸71にスプライン嵌合された第３変速被動ギヤｎ３、リバースアイドルギヤｎＲ、第２変速被動アイドルギヤｎ２、シフタｎＳ、第４変速被動アイドルギヤｎ４が軸支されて配列されている。
対応する変速駆動ギヤと変速被動ギヤは常時噛合っている。
【００４２】
なお、カウンタ軸71の上方位置には、リバースアイドル軸70が配設され（図３，図４，図５参照）、リバースアイドル軸70にリバース大径ギヤｒ１とリバース小径ギヤｒ２が一体に回転自在に軸支され、リバース大径ギヤｒ１がメイン軸61上の第２変速駆動ギヤｍ２に噛合し、リバース小径ギヤｒ２がカウンタ軸71上のリバースアイドルギヤｎＲに噛合している。
【００４３】
メイン軸61上の第５変速駆動ギヤｍ５およびカウンタ軸71上の第３変速被動ギヤｎ３は、シフタギヤであり、この２つのシフタギヤとカウンタ軸71上のシフタｎＳが、変速駆動機構により軸方向に移動されて変速段が構成される。
すなわち、第５変速駆動ギヤｍ５の前後移動で１速段と３速段が構成され、第３変速被動ギヤｎ３の前後移動で５速段とリバースが構成され、シフタｎＳの前後移動で２速段と４速段が構成される。
この変速段の切換え制御と、第１変速クラッチ66と第２変速クラッチ67の制御とが相俟って各変速段の動力伝達がなされる。
【００４４】
カウンタ軸71の前端は、ベアリング72ｂより前方に突出しており、同前端に出力ギヤ74がスプライン嵌合されている。
カウンタ軸71の下方で斜め右方に前記出力軸80が配設されており（図３参照）、同出力軸80の前側部分にスプライン嵌合された被動ギヤ75が、カウンタ軸71の前端の出力ギヤ74と噛合してカウンタ軸71から出力軸80へ動力が伝達されるようになっている。
【００４５】
カウンタ軸71の前端の出力ギヤ74には出力軸80の被動ギヤ75との噛合により大きな負荷が加わるため、カウンタ軸71の前部を軸支するベアリング72ｂを比較的大きなものを用いて構成している。
【００４６】
上下割りに構成された上下のクランクケース31Ｕ，31Ｌのカウンタ軸71と出力軸80が突出する前面には割り面を跨いで前ケースカバー85が被せられ、上下のクランクケース31Ｕ，31Ｌの後面には割り面を跨いでクランク軸30の後端のフルードカップリング55とメイン軸61の後端の第１，第２変速クラッチ66，67を覆うように後ケースカバー150が一部ケースカバーも兼ねるスペーサ110を介して被せられる。
【００４７】
前記出力軸80は、鍛造成形された前端被軸受部81と後端被軸受部82とを中空筒部材83が連結して構成されており、前端被軸受部81が下クランクケース31Ｌの前側壁31Ｌｆに形成された貫通孔76ｆを貫通して前ケースカバー85に形成された軸受開口86にベアリング86ｂを介装して前端を前ケースカバー85から前方に突出させて軸支され、後端被軸受部82が下クランクケース31Ｌの後側壁31Ｌｒに形成された貫通孔76ｒを貫通してスペーサ110に形成された軸受開口111にベアリング111ｂを介装して後端をスペーサ110から後方に突出させて軸支される。
【００４８】
すなわち、出力軸80は、前端被軸受部81と後端被軸受部82が前後を突出させてそれぞれ前ケースカバー85とスペーサ110に回転自在に支持される。
特に、前側の貫通孔76ｆはカウンタ軸71の前側の軸受開口72に隣接する。
【００４９】
そして、前端被軸受部81にはベアリング85ｂの内側に隣接して前記被動ギヤ75がスプライン嵌合されている。
したがって、カウンタ軸71の前端の出力ギヤ74は、出力軸80の前端被軸受部81にスプライン嵌合された被動ギヤ75に噛合して、カウンタ軸71から出力軸80へ動力が伝達される。
【００５０】
一方、クランク軸30の右方位置にバランサ軸90が上下のクランクケース31Ｕ，31Ｌの割り面に挟まれて軸支されている（図３参照）。
バランサ軸90にスプライン嵌合した被動ギヤ93が、クランク軸30に嵌合された前記バランサ軸駆動用ギヤ54と噛合してクランク軸30の回転がバランサ軸90に同じ回転速度で伝達されるようになっている。
したがって、バランサ軸90のクランク軸30と同速度の回転でピストン40の往復動による１次振動を打ち消す。
【００５１】
前記変速機Ｔの変速ギヤ機構60のシフタを移動させて変速を行う変速駆動機構200は、クランク軸30およびメイン軸61の下方に設けられている。
後ケースカバー150の下部には、ギヤケース部が形成されており、後方からギヤケースカバー201に覆われて内部に減速ギヤ機構が設けられ、ギヤケースカバー201の右側には変速用電動モータ202が後方から取り付けられ、左下部にシフトスピンドル206が下クランクケース31Ｌの前後壁，後ケースカバー150を貫通し、後端をギヤケースカバー201から後方へ突出させて配設されている（図４，図７参照）。
【００５２】
そのシフトスピンドル206の後端には後ケースカバー201に固定された角度センサ208が取り付けられている（図７参照）。
また、シフトスピンドル206の下クランクケース31Ｌの前側壁31Ｌｆを貫通して突出した前端に延長スピンドル207が同軸一体に連結され、延長軸207は前ケースカバー85を貫通し、前方に突出した前端は、六角柱状に形成された係合部207ａを構成している。
【００５３】
ギヤケース内には第１アイドルギヤ軸203と第２アイドルギヤ軸204が回転自在に軸支され、変速用電動モータ202のギヤカバー201より前方へ突出したモータ駆動軸に形成された小径の駆動ギヤ202ａが第１アイドルギヤ軸203と一体の大径ギヤ203ａに噛合し、同第１アイドルギヤ軸203と一体の小径ギヤ203ｂが第２アイドルギヤ軸204と一体の大径ギヤ204ａに噛合し、同第２アイドルギヤ軸204と一体の小径ギヤ204ｂがシフトスピンドル206に嵌着された扇形をしたギヤシフトアーム205に噛合して減速ギヤ機構が構成されている。
したがって、変速用電動モータ202の駆動は、この減速ギヤ機構を介して減速されてシフトスピンドル206を回動する。
【００５４】
下クランクケース31Ｌの前後側壁31Ｌｆ，31Ｌｒ間には、シフトスピンドル206の斜め上方にシフトドラム210がベアリング211，212を介して回転自在に軸支されている。
シフトドラム210のベアリング212に軸支される後端にはポールラチェット機構250のドラムセンタ251が回転中心軸253により同軸に結合されて後方に突設されている。
ドラムセンタ251のラチェットハウジング251ｈ内に、ラチェットポール265を出没自在に保持したシフタ252が、回転中心軸253に回転自在に軸支されて嵌装され、ポールラチェット機構250が構成されている（図９，図１０参照）。
【００５５】
前記シフトスピンドル206にはシフトアーム260が基端部を嵌着して設けられており、同シフトアーム260の揺動する先端に設けられた長孔260aaにシフタ252の後方に突出した突起252ａが係合している。
【００５６】
したがって、シフトスピンドル206の回動でシフトアーム260が一体に揺動すると、長孔260aaと突起252ａの係合によりシフタ252が回動され、シフタ252の回動がポールラチェット機構250を介してドラムセンタ251を間欠的に回動し、ドラムセンタ251と一体のシフトドラム210を回動する。
なお、ポールラチェット機構250については後に詳説する。
【００５７】
シフトドラム210の外周面には、図７および図８に示すように、３条の変速用リード溝210ａ，210ｂ，210ｃと前端にリバースインヒビタ溝210ｒが形成されている。
【００５８】
シフトドラム210の３条の変速用リード溝210ａ，210ｂ，210ｃに、ガイド軸215に摺動自在に支持されたシフトフォーク215ａ，215ｂ，215ｃの各シフトピン215ap，215bp，215cpが摺動自在に嵌合しており、シフトドラム210の回動によりリード溝に案内されて軸方向に移動するシフトフォーク215ａがメイン軸61上のシフタギヤ（第５変速駆動ギヤｍ５）を移動させ、シフトフォーク215ｂ，215ｃがカウンタ軸71上のシフタギヤ（第３変速被動ギヤｎ３），シフタｎＳを移動させて有効に動力伝達するギヤの組を変更して変速を行う。
【００５９】
シフトドラム210の外周面前端のリバースインヒビタ溝210ｒには、後記するリバースインヒビタアーム231の先端が係脱自在に係合する（図６，図７参照）。
なお、シフトドラム210の回動角度は、シフトドラム210の前方に同軸に設けられたシフトポジション検出器213により検出される。
【００６０】
以上の変速駆動機構200により変速用電動モータ202の駆動が、減速ギヤ機構を介してシフトスピンドル206を回動し、シフトスピンドル206の回動がシフトアーム260およびポールラチェット機構250を介してシフトドラム210を回動し、シフトドラム210の回動によりシフトフォーク215ａ，215ｂ，215ｃが軸方向に移動して変速を行う。
【００６１】
なお、前ケースカバー85から前方へ突出したスピンドル延長軸207の六角柱状の係合部207ａに、回動操作具であるレンチの六角穴の作用部を係合して、前ケースカバー85の表面に沿って回動操作することで、シフトスピンドル206を回動して手動により変速を実行することができる。
【００６２】
以上のような変速駆動機構200を備えた本変速機Ｔには、さらに通常走行時にリバースに設定されないように規制するリバースインヒビタ機構230が設けられている。
前記したように、シフトドラム210の外周面にはリバースインヒビタ溝210ｒが形成されており、リバースインヒビタアーム231の先端がリバースインヒビタ溝210ｒに係脱自在に係合するようになっている。
【００６３】
図６および図７を参照して、シフトドラム210の下方において、下クランクケース31Ｌの対向する前後側壁31Ｌｆ，31Ｌｒのうち前側壁31Ｌｆに円筒状の軸受ボス部31ｂが形成されており、リバースインヒビタシャフト232が嵌挿されて前後方向に指向した姿勢で回転自在に軸支される。
このリバースインヒビタシャフト232の後端部に前記リバースインヒビタアーム231の基端部が嵌着されている。
【００６４】
リバースインヒビタシャフト232は、リバースインヒビタアーム231が嵌着される後端側が前端側より径が大きく、その大径の後半部232ｒが軸受ボス部31ｂに軸支される。
リバースインヒビタシャフト232の後半部232ｒより縮径した前半部232ｆは、前ケースカバー85に形成された円筒ボス部85ｂを貫通して前方に突出している。
【００６５】
リバースインヒビタシャフト232の前半部232ｆの後側部はスプライン溝232ｓが形成され、同スプライン溝232ｓに揺動アーム233を一体に支持するスリーブ233ｓがスプライン嵌合され、前半部232ｆのスプライン溝232ｓより前側部が前ケースカバー85の円筒ボス部85ｂに嵌挿される。
リバースインヒビタシャフト232の前端には、レバー235がボルト236により螺着される。
【００６６】
リバースインヒビタシャフト232の後半部232ｒの軸受ボス部31ｂに軸支される部分とリバースインヒビタアーム231が嵌着される後端との間にねじりコイルスプリング237が巻回され、ねじりコイルスプリング237の一端はリバースインヒビタアーム231に係止され、他端はリバースインヒビタシャフト232とシフトドラム210との間に形成されたボルト238が螺合されるボルトボス部239に係止され、図６に示す前面視でリバースインヒビタアーム231を時計回りに付勢し、リバースインヒビタアーム231の先端をシフトドラム210の外周面に当接する。
【００６７】
リバースインヒビタアーム231の先端が当接するシフトドラム210の外周面に、前記リバースインヒビタ溝210ｒが形成されていて、同リバースインヒビタ溝210ｒにリバースインヒビタアーム231の先端が係合する。
【００６８】
リバースインヒビタ溝210ｒは、シフトドラム210の外周面の展開図である図８に示すように、軸方向に変化することなく直線的に形成されているが、全周に亘って無端状に形成されているのではなく、溝が形成されていない部位が一部にあって、同部位を挟んで溝端部210ra，210rbが存している。
【００６９】
図８のシフトドラム210の外周面の展開図には、シフトフォーク215ａ，215ｂ，215ｃの各シフトピン215ap，215bp，215cpが係合する３条の変速用リード溝210ａ，210ｂ，210ｃが図示されており、軸方向に一列に並ぶシフトピン215ap，215bp，215cpのシフトドラム210の外周面に対する周方向位置により変速段が設定され、リバース（ＲＶＳ）、ニュートラル（Ｎ）、１−２速、２−３速、３−４速、４−５速の６つの周方向位置が示されている。
【００７０】
例えば、１−２速の周方向位置にシフトピン215ap，215bp，215cpがあるときは、変速ギヤ機構60のギヤの組み合わせてとしては１速段と２速段が確立しており、そのいずれの変速段にするかは、前記第１変速クラッチ66と第２変速クラッチ67の切換え制御により決定される。
【００７１】
図８には、ニュートラル（Ｎ）の周方向位置にシフトピン215ap，215bp，215cp（２点鎖線で示す）があるとして、ニュートラル状態を示しており、このとき、リバースインヒビタアーム231の先端（２点鎖線で示す）は、リバースインヒビタ溝210ｒの溝端部210raにあり、これ以上シフトドラム210をリバース側に回動しようとしてもリバースインヒビタアーム231の先端がリバースインヒビタ溝210ｒの溝端部210raの端面に当接して回動を阻止する。
【００７２】
したがって、リバースインヒビタアーム231の先端がリバースインヒビタ溝210ｒに係合している通常走行時には、リバースインヒビタ状態にあってニュートラル（Ｎ）からリバースに安易に移行しないようにしている。
【００７３】
リバースインヒビタシャフト232の前ケースカバー85より前方に突出した前端に締結されたレバー235には、図３および図６に示すように前ケースカバー85に沿って左側から延びてきたケーブル240の端部が結合され、ケーブル240が引かれることで、レバー235がリバースインヒビタシャフト232をねじりコイルスプリング237に抗して前面視で反時計回りに回動し、リバースインヒビタシャフト232と一体のリバースインヒビタアーム231が反時計回りに回動することで、リバースインヒビタアーム231の先端がリバースインヒビタ溝210ｒから抜け出てリバースインヒビタ状態を解除することができる。
【００７４】
なお、前ケースカバー85のリバースインヒビタシャフト232の右方（図３，図６では左方）所定位置にリミットスイッチ241が取り付けられ、その後方に作動子241ａが突出しており、ケーブル240が引かれリバースインヒビタ状態が解除されたときに、前記リバースインヒビタシャフト232にスプライン嵌合した揺動アーム233の先端が、作動子241ａに作用してリミットスイッチ241をオンする。
【００７５】
このリミットスイッチ241からリバースインヒビタ状態解除のオン信号が出力されると、ランプが点灯してリバースインヒビタ状態が解除されたことを、運転者が確認できるようになっている。
【００７６】
以上のようなリバースインヒビタ機構230が設けられているので、運転者は、変速機Ｔをリバースに設定するときは、まずケーブル240を引いてリバースインヒビタ状態を解除してからリバースの移行操作をすることになる。
【００７７】
ここで、前記した変速駆動機構200のポールラチェット機構250について詳説する。
シフトアーム260は、図１１に示すように、シフトスピンドル260に嵌着される円孔260ｃから作動アーム部260ａと規制アーム部260ｂが延びており、作動アーム部260ａの先端部に長孔260aaが形成され、規制アーム部260ｂの先端には開孔260bbが形成されていて、開孔260bbに突出した突片260ｔの上下両端が前方へ折曲して一対の支持片260ｓ，260ｓが形成されている。
【００７８】
図７および図９を参照して、シフトスピンドル206には、リターンスプリング261が巻回され、その両端部がシフトアーム260の規制アーム部260ｂの一対の支持片260ｓ，260ｓにそれぞれ係止され、下クランクケース31Ｌの後側壁31Ｌｒの所定位置に後方に向けて突設されたピン262がリターンスプリング261の両端部の間に挟まれるようにして突出している。
【００７９】
したがって、シフトアーム260が外力により揺動すると、リターンスプリング261の一端部が一方の支持片260ｓにより押圧され、他端部がピン262に当接して固定されるので、リターンスプリング261の両端部はばね力に抗して開くことになり（図１６、図１７参照）、よってリターンスプリング261はシフトアーム260を中立位置に戻すように付勢する。
【００８０】
ドラムセンタ251のラチェットハウジング251ｈに嵌挿されるシフタ252は、図１２に示すように、回転中心軸253が相対回動自在に嵌挿される円孔252ｃの両側に形成されたポケット部252ｂ，252ｂにそれぞれラチェットポール265，265を外周から出没自在に保持し、このラチェットポール265，265を、スプリングにより付勢されたプランジャ266，266が外側に押圧して外側に突出する構成となっている。
ポケット部252ｂ，252ｂの間で円孔252ｃから偏心した位置に前記突起252ａが後方に向けて突出している。
【００８１】
このシフタ252がラチェットハウジング251ｈに嵌挿されるドラムセンタ251は、図１３に示すように、中心に回転中心軸253が螺入されるねじ孔251ｃが形成され、後側に形成されるラチェットハウジング251ｈの内周面には６つの内周係合溝251ａが形成され、外周面には複数の外周係止溝251ｂが形成されている。
【００８２】
このドラムセンタ251のラチェットハウジング251ｈの開口端面に沿ってガイド部材であるガイドプレート270が設けられる。
ガイドプレート270は、図１４に図示するように、中央に前記ドラムセンタ251のラチェットハウジング251ｈと略同じ程度の大きさの所定形状に穿設された規制孔270ａが形成されており、同規制孔270ａの中央部分から３方向へフランジ270ｂ，270ｃ，270ｄが延びている。
各フランジ270ｂ，270ｃ，270ｄの先端に、それぞれ取付孔270bb，270cc，270ddが形成されている。
規制孔270ａにストッパ突起部270ｔが突出している。
【００８３】
ガイドプレート270は、ドラムセンタ251の後面に沿って下クランクケース31の後側壁31Ｌｒに取り付けられて固定され、中央の所定形状の規制孔270ａは、その内周縁でドラムセンタ251のラチェットハウジング251ｈ内に嵌挿されるシフタ252が保持するラチェットポール265，265の外側への突出をシフタ252の所定回動角度範囲で規制することができる。
【００８４】
ガイドプレート270を後側壁31Ｌｒに取り付けるのに、２つのフランジ270ｃ，270ｄは、後側壁31Ｌｒとの間に円筒状のカラー271，271を介装して取付孔270cc，270ddに挿入されたボルト272，272により締結され（図７，図１０参照）、もう１つのフランジ270ｂは、ドラムストッパアーム290を軸支する支持部に取り付けられる（図１０参照）。
【００８５】
図９および図１０を参照して、下クランクケース31の後側壁31Ｌｒにおけるシフトドラム210の左隣りに雌ネジが刻設された円筒状の取付ボス部280が後方に突出して形成されており、取付ボス部280の雌ネジに支持部材としてのスタッドボルト281が後方から螺合して植設される。
【００８６】
スタッドボルト281は、略中央の所定位置に先端側第１突部に相当する大径部281ａが形成されており、大径部281ａより基端側の基端側突部281ｃに取付ボス部280に螺合する雄ネジが形成され、大径部281ａより先端側の先端側第２突部281ｂに相当する先端部に雄ネジが形成されている（図１０参照）。
なお、大径部281ａの外周は、六角形などのスパナによって操作可能な形状をしている。
大径部281ａには大径部281ａの基端側端部より若干先端側に偏った位置に、フランジ281afが突出形成されている。
【００８７】
取付ボス部280にねじりコイルスプリング284を巻回しておき、スタッドボルト281の大径部281ａのフランジ281afより基端側部分の外周にドラムストッパアーム290の基端部を揺動自在に軸支し、ワッシャ282を基端側突部281ｃに嵌合して、基端側突部281ｃの雄ネジを取付ボス部280の雌ネジに螺合して緊締すると、ワッシャ282とフランジ281afとの間空隙にドラムストッパアーム290が揺動自在に遊嵌される。
【００８８】
ドラムストッパアーム290の先端部には支軸291に軸支された係止ローラ292が回転自在に取り付けられている。
取付ボス部280に巻回されたねじりコイルスプリング284は、その一端が後側壁31Ｌｒに突出した突起285に係止され、他端がドラムストッパアーム290の側部に係止され、ドラムストッパアーム290を図９の後面図において時計回りに付勢して先端の係止ローラ292を前記ドラムセンタ251の外周面に押圧する。
【００８９】
ドラムセンタ251の外周面には、複数の係止溝251ｂが形成されているので、係止ローラ292は１係止溝251ｂに嵌って安定し、ドラムセンタ251をシフトドラム210とともに位置決めする。
【００９０】
スタッドボルト281は、後端部の雄ネジに、前記ガイドプレート270の１フランジ270ｂの取付孔270bbを嵌合して固定部材であるフランジ付きナット286を螺合して大径部281ａとの間に挟んで緊締して固定する。
【００９１】
ガイドプレート270は、３つのフランジ270ｂ，270ｃ，270ｄの先端部が、下クランクケース31の後側壁31Ｌｒに固定されるが、そのうちの１フランジ270ｂが、ドラムストッパアーム290を軸支するスタッドボルト281にともに支持される。
【００９２】
スタッドボルト281は、雄ネジが形成された基端側突部281ｃと大径部（先端側第１突部）281ａと先端側第２突部（先端雄ネジ部）281ｂが同軸に形成された１本のボルトであり、このスタッドボルト281を共通の支持部材としてドラムストッパアーム290が揺動自在に軸支されるとともにガイドプレート270の１フランジ270ｂが固定支持される。
【００９３】
したがって、１本のスタッドボルト281でガイドプレート270の１フランジ270ｂとドラムストッパアーム290とを集約的に支持し、少ない部品点数の簡単な構成で組付け作業も簡単にすることができる。
また、ドラムストッパアーム290とガイドプレート270の１フランジ270ｂをそれぞれ別個の支持部材で異なる位置に取り付けるのに比べて、両者を集約的に支持して取付けスペースを小さくし変速機の小型化を図ることができる。
【００９４】
以上の変速駆動機構200のポールラチェット機構250の動きを、図１５ないし図１８に基づいて説明する。
図１５は、リバース状態のポールラチェット機構250の主要部を示している。
ねじりコイルスプリング284により付勢されたドラムストッパアーム290の先端の係止ローラ292は、ドラムセンタ251の外周係止溝251ｂの１つに嵌合して係止しドラムセンタ251をシフトドラム210とともにリバース回動位置に位置決めされ、シフトアーム260は中立位置に維持されている。
【００９５】
ここで、変速用電動モータ202が駆動してギヤ機構を介してシフトスピンドル206が図１５において反時計回りに回動すると、一体にシフトアーム260は反時計回りに揺動し、シフトアーム260の作動アーム部260ａ先端の長孔260aaに係合した突起252ａを介してシフタ252が反時計回りに回動する。
【００９６】
図１５において、シフタ252が反時計回りに回動すると、左側のラチェットポール265の外側への突出端部がドラムセンタ251の１つの内周係合溝251ａに係合して、図１６に示すようにドラムセンタ251を一緒に反時計回りに回動する。
ドラムセンタ251と一体のシフトドラム210も反時計回りに回動する。
このとき、ドラムストッパアーム290の先端の係止ローラ292は外周係止溝251ｂを抜け出している。
【００９７】
さらにシフタ252とドラムセンタ251が反時計回りに回動すると、右側のラチェットポール265（図１６では上側に移動）の外側への突出端部が、固定したガイドプレート270の規制孔270ａの内周縁に押されて内側に没しており、左側のラチェットポール265（図１６では下側に移動）は、その先端がガイドプレート270の規制孔270ａに突出したストッパ突起部270ｔに当接してさらに外側に出て係止し、シフタ252の回動を規制し、図１７に示す状態となる。
【００９８】
すなわち、ドラムストッパアーム290の先端の係止ローラ292がドラムセンタ251の隣りの外周係止溝251ｂに係合してドラムセンタ251とともにシフトドラム210を１速段の回動位置に位置決めし、リバースからニュートラルに変速される。
【００９９】
ここで、変速用電動モータ202によるシフトスピンドル206の回動が停止されると、シフトアーム260を中立位置に付勢しているリターンスプリング261によりシフトアーム260は中立位置に揺動させられる。
【０１００】
すなわち、図１８に示すように、シフトアーム260は時計回りに揺動し、長孔260aaと突起252ａの係合を介してシフタ252も時計回りに回動させられ元の中立姿勢に戻る。
このとき、図１７において上側となったラチェットポール265は、戻り初めのうちはガイドプレート270の規制孔270ａの内周縁に規制されて内側に没した状態で時計回りに移動するので、ドラムセンタ251の内周係合溝251ａに係合することはなく、よってドラムセンタ251はシフトドラム210とともに１速段の回動位置に位置決めされたままとなる。
【０１０１】
このように、ポールラチェット機構250は、変速用電動モータ202の駆動に伴うシフトアーム260の往復揺動がシフタ252を往復回動し、シフタ252の往復回動がドラムセンタ251をシフトドラム210とともに間欠的に回動して変速が実行される。
【０１０２】
変速用電動モータ202がシフトスピンドル206を後面視で反時計回りに間欠的に回動することで変速段をシフトアップすることができ、時計回りに間欠的に回動することでシフトダウンすることができる。
【図面の簡単な説明】
【０１０３】
【図１】本発明の一実施の形態に係るパワーユニットが搭載された不整地走行用車両の車体カバー等を外した状態の側面図である。
【図２】同平面図である。
【図３】同パワーユニットの前面図である。
【図４】同パワーユニットの後面図である。
【図５】同パワーユニットの展開断面図（図３のＶ−Ｖ線断面図）である。
【図６】リバースインヒビタ機構の主要部を示す同パワーユニットの一部省略した前面図である。
【図７】図６のＶII−ＶII線断面図である。
【図８】シフトドラムの展開図である。
【図９】変速駆動機構の主要部を示す同パワーユニットの一部省略した後面図である。
【図１０】図９のＸ−Ｘ線およびＸ´−Ｘ´線断面図である。
【図１１】シフトアームの後面図である。
【図１２】シフタの後面図である。
【図１３】ドラムセンタの後面図である。
【図１４】ガイドプレートの後面図である。
【図１５】リバース状態における変速駆動機構の主要部の後面図である。
【図１６】リバースからニュートラルへの変速途中の変速駆動機構の主要部の後面図である。
【図１７】リバースからニュートラルへの変速直後の変速駆動機構の主要部の後面図である。
【図１８】ニュートラル状態における変速駆動機構の主要部の後面図である。
【符号の説明】
【０１０４】
Ｐ…パワーユニット、Ｅ…内燃機関、Ｔ…変速機、Ｃ…クランク室、Ｍ…ミッション室、
１…不整地走行用車両、30…クランク軸、31Ｕ…上クランクケース、31Ｌ…下クランクケース、31Ｕｆ，31Ｌｆ…前側壁、31Ｕｒ，31Ｌｒ…後側壁、
60…変速ギヤ機構、61…メイン軸、66…第１変速クラッチ、67…第２変速クラッチ、70…リバース軸、71…カウンタ軸、110…スペーサ、
200…変速駆動機構、202…変速用電動モータ、206…シフトスピンドル、210…シフトドラム、210ａ，210ｂ，210ｃ…変速用リード溝、210ｒ…リバースインヒビタ溝、215ａ，215ｂ，215ｃ…シフトフォーク、
230…リバースインヒビタ機構、231…リバースインヒビタアーム、232…リバースインヒビタシャフト、235…レバー、237…ねじりコイルスプリング、240…ケーブル、
250…ポールラチェット機構、251…ドラムセンタ、251ｈ…ラチェットハウジング、251ａ…内周係合溝、251ｂ…外周係止溝、252…シフタ、253…回転中心軸、260…シフトアーム、261…リターンスプリング、265…ラチェットポール、266…プランジャ、
270…ガイドプレート、270ａ…規制孔、
280…取付ボス部、281…スタッドボルト、281ａ…大径部（先端側第１突部）、281ｂ…先端側第２突部、281ｃ…基端側突部、284…ねじりコイルスプリング、290…ドラムストッパアーム、292…係止ローラ。
【図１】
2008115884.tif 000003
【図２】
2008115884.tif 000004
【図３】
2008115884.tif 000005
【図４】
2008115884.tif 000006
【図５】
2008115884.tif 000007
【図６】
2008115884.tif 000008
【図７】
2008115884.tif 000009
【図８】
2008115884.tif 000010
【図９】
2008115884.tif 000011
【図１０】
2008115884.tif 000012
【図１１】
2008115884.tif 000013
【図１２】
2008115884.tif 000014
【図１３】
2008115884.tif 000015
【図１４】
2008115884.tif 000016
【図１５】
2008115884.tif 000017
【図１６】
2008115884.tif 000018
【図１７】
2008115884.tif 000019
【図１８】
2008115884.tif 000020